(57)【要約】【課題】  本発明は、シリアル通信インターフェースとパラレル通信インターフェースとを有し、外部からの接続状態に対応してシリアル通信回路とパラレル通信回路とを自動的に切り替え可能な記憶装置及び磁気ディスク装置を提供する。【解決手段】  ＨＤＤ１は、パラレルＡＴＡインターフェース用コネクタ２１とシリアルＡＴＡインターフェース用コネクタ２２とを有し、シリアルＡＴＡインターフェース用コネクタ２２とＨＤＣ１０１との接続を中継する変換ブリッジ回路１０２は、シリアルＡＴＡインターフェース用コネクタから直接電源が供給されるよう接続されている。このためパラレルＡＴＡインターフェース用コネクタ２１を介して外部装置と接続されている時、電源が供給されず、動作しないように構成されている。【選択図】  図２
2005166097.tif 000002
【特許請求の範囲】
【請求項１】
パラレル伝送インターフェース用の第１のコネクタと、
シリアル伝送インターフェース用の第２のコネクタと、
上記第１または第２のコネクタのいずれか一方と接続し、この接続したコネクタを介して外部から供給される電源に基づいて動作する切替手段と、
上記第１あるいは第２のコネクタを介して供給される電源に基づいて動作し、上記切替手段あるいは上記切替手段が接続されていない上記コネクタを介して供給される伝送データの制御を行う制御手段と、
を有することを特徴とする記憶装置。
【請求項２】
上記切替手段は、上記第２のコネクタと接続し、上記第２のコネクタを介して外部から供給される電源に基づいて動作するものであり、
上記制御手段は、上記第１あるいは第２のコネクタを介して供給される電源に基づいて動作し、上記第１のコネクタあるいは上記切替手段を介して供給される伝送データの制御を行うものであることを特徴とする請求項１記載の記憶装置。
【請求項３】
パラレル伝送インターフェース用の第１のコネクタと、
シリアル伝送インターフェース用の第２のコネクタと、
上記第１または第２のコネクタから供給される伝送データの制御を行い、上記シリアル伝送インターフェースにのみ関連する部分は上記第２のコネクタを介して外部から供給される電源に基づいて動作し、上記パラレル伝送インターフェースに関連する部分は上記第１あるいは第２のコネクタを介して供給される電源に基づいて動作する制御回路と、
を有することを特徴とする記憶装置。
【請求項４】
パラレルＡＴＡインターフェース用の第１のコネクタと、
シリアルＡＴＡインターフェース用の第２のコネクタと、
上記第２のコネクタと接続し、この接続した第２のコネクタを介して外部から供給される電源に基づいて動作する切替手段と、
上記第１あるいは第２のコネクタを介して供給される電源に基づいて動作し、上記切替手段あるいは上記第１のコネクタを介して供給される伝送データの制御を行う制御手段と、
を有することを特徴とする磁気ディスク装置。
【請求項５】
パラレルＡＴＡインターフェース用の第１のコネクタと、
シリアルＡＴＡインターフェース用の第２のコネクタと、
上記第１または第２のコネクタから供給される伝送データの制御を行い、上記シリアルＡＴＡインターフェースにのみ関連する部分は上記第２のコネクタを介して外部から供給される電源に基づいて動作し、上記パラレルＡＴＡインターフェースに関連する部分は上記第１あるいは第２のコネクタを介して供給される電源に基づいて動作する制御回路と、
を有することを特徴とする磁気ディスク装置。
【発明の詳細な説明】
【技術分野】
【０００１】
本発明は、シリアル通信インターフェースとパラレル通信インターフェースとを有する記憶装置に関し、更には外部からの接続状態に対応してシリアル通信回路とパラレル通信回路とを自動的に切り替える記憶装置及び磁気ディスク装置に関する。
【背景技術】
【０００２】
従来より電子機器間のデータ通信に関してパラレル通信とシリアル通信とが存在し、夫々の利点に合わせてあらかじめ設定された規格に基づいて、電子機器には対応する通信回路が設けられている。近年、パラレル及びシリアルの両方の通信回路を有し、スイッチの状態によって通信回路を選択する装置が開発されている（例えば、特許文献１参照）。
【特許文献１】特開平５−２４５５号公報
【発明の開示】
【発明が解決しようとする課題】
【０００３】
しかしながら、従来の装置は、パラレス信号あるいはシリアル信号のうち所望の通信回路を切り替えるスイッチを有し、このスイッチを操作することにより予めどちらか一方の通信回路に設定する必要がある。従って、所望する通信回路を変更したい場合には、まずはスイッチによる設定を変える必要があり、直ぐに対応することができないという問題があった。
【０００４】
本発明は、以上の点に鑑みなされたもので、シリアル通信インターフェースとパラレル通信インターフェースとを有し、外部からの接続状態に対応してシリアル通信回路とパラレル通信回路とを自動的に切り替え可能な記憶装置及び磁気ディスク装置を提供することを目的とする。
【課題を解決するための手段】
【０００５】
上記目的を達成するために、本発明の記憶装置は、パラレル伝送インターフェース用の第１のコネクタと、シリアル伝送インターフェース用の第２のコネクタと、上記第１または第２のコネクタのいずれか一方と接続し、この接続したコネクタを介して外部から供給される電源に基づいて動作する切替手段と、上記第１あるいは第２のコネクタを介して供給される電源に基づいて動作し、上記切替手段あるいは上記切替手段が接続されていない上記コネクタを介して供給される伝送データの制御を行う制御手段と、を有することを特徴とする。
【０００６】
上記目的を達成するために、本発明の記憶装置は、パラレル伝送インターフェース用の第１のコネクタと、シリアル伝送インターフェース用の第２のコネクタと、上記第１または第２のコネクタから供給される伝送データの制御を行い、上記シリアル伝送インターフェースにのみ関連する部分は上記第２のコネクタを介して外部から供給される電源に基づいて動作し、上記パラレル伝送インターフェースに関連する部分は上記第１あるいは第２のコネクタを介して供給される電源に基づいて動作する制御回路と、を有することを特徴とする。
【０００７】
上記目的を達成するために、本発明の磁気ディスク装置は、パラレルＡＴＡインターフェース用の第１のコネクタと、シリアルＡＴＡインターフェース用の第２のコネクタと、上記第２のコネクタと接続し、この接続した第２のコネクタを介して外部から供給される電源に基づいて動作する切替手段と、上記第１あるいは第２のコネクタを介して供給される電源に基づいて動作し、上記切替手段あるいは上記第１のコネクタを介して供給される伝送データの制御を行う制御手段と、を有することを特徴とする。
【０００８】
上記目的を達成するために、本発明の磁気ディスク装置は、パラレルＡＴＡインターフェース用の第１のコネクタと、シリアルＡＴＡインターフェース用の第２のコネクタと、上記第１または第２のコネクタから供給される伝送データの制御を行い、上記シリアルＡＴＡインターフェースにのみ関連する部分は上記第２のコネクタを介して外部から供給される電源に基づいて動作し、上記パラレルＡＴＡインターフェースに関連する部分は上記第１あるいは第２のコネクタを介して供給される電源に基づいて動作する制御回路と、を有することを特徴とする。
【発明の効果】
【０００９】
本発明によれば、シリアル通信インターフェースとパラレル通信インターフェースとを有し、外部からの接続状態に対応してシリアル通信回路とパラレル通信回路とを自動的に切り替えることができる。
【発明を実施するための最良の形態】
【００１０】
以下、本発明に係る実施の形態について図面を参照して詳細に説明する。図１乃至図５を用いて、本発明を磁気ディスク記憶装置であるハードディスクドライブ（以下、ＨＤＤと称する）１に適用した実施形態について説明する。図１は、ＨＤＤ１の概略斜視図である。
【００１１】
ＨＤＤ１は、図１に示すように、上面が開放した略矩形のハウジング２（ベース部材）、およびトップカバー４を有する。ハウジング２は、アルミダイキャスト（導電体）や鉄板（磁性体）により形成されている。トップカバー４は、ガスケット３を介してハウジング２の上面にセットされ、複数のネジ５によってハウジング２に取り付けられる。
【００１２】
ハウジング２内には、磁気ディスク１０（媒体）、磁気ディスク１０を回転可能に支持したスピンドルモータ２０（ディスク回転用モータ）、磁気ディスク１０に対する情報の記録および／或いは再生を行なうヘッド１２、ヘッド１２を先端に搭載したサスペンションアーム１４、サスペンションアーム１４を揺動させてヘッド１２を磁気ディスク１０の略半径方向に沿って移動させるボイスコイルモータ１６等が収容されている。
【００１３】
磁気ディスク１０に対する情報の記録／再生時には、スピンドルモータ２０によって磁気ディスク１０を回転させて、ボイスコイルモータ１６によってサスペンションアーム１４を揺動させ、ヘッド１２を磁気ディスク１０の所望するトラック（図示せず）上に移動させる。
【００１４】
また、図２は、図１に示すＨＤＤ１を裏返した状態の概略斜視図である。ＨＤＤ１は、図２に示すように、ハウジング２の一側面部にパラレルＡＴＡ（ＡＴ  Ａｔｔａｃｈｍｅｎｔ）インターフェース用コネクタ２１が、ハウジング２の他の側面部にシリアルＡＴＡインターフェース用コネクタ２２が夫々設けられている。
【００１５】
パラレルＡＴＡインターフェースは、接続された外部機器との間で、データをパラレル伝送するためのＰＣ互換機用ハードディスクインターフェイスである。シリアルＡＴＡインターフェースは、接続された外部機器との間で、データをシリアル伝送するためのＰＣ互換機用ハードディスクインターフェイスである。ＨＤＤ１は、ユーザによりパラレルＡＴＡインターフェースあるいはシリアルＡＴＡインターフェースのいずれかのコネクタ２１、２２に接続されることにより、使用することができる。
【００１６】
図３及び図４を用いて、ＨＤＤ１の回路構成について説明する。図３は、上記ハウジング２内に収納された図示せぬ駆動回路基板１００を示す図で、特にデータ信号系の接続関係を示す図である。図４は、ＨＤＤ１の電源系の接続関係を説明するための概略図である。
【００１７】
図３に示す駆動回路基板１００には、例えば制御手段としてのハードディスクコントローラ（Ｈａｒｄ  Ｄｉｓｃ  Ｃｏｎｔｒｏｌｌｅｒ、以下ＨＤＣ）１０１と、切替手段としての変換ブリッジ回路１０２が少なくとも搭載されている。ＨＤＣ１０１は、データ信号系の接続に関し、パラレルＡＴＡインターフェース用コネクタ２１と、変換ブリッジ回路１０２とにそれぞれ接続されている。
【００１８】
変換ブリッジ回路１０２は、シリアルＡＴＡインターフェース用コネクタ２２に接続されている。この結果、ＨＤＣ１０１は、変換ブリッジ回路１０２を介してシリアルＡＴＡインターフェース用コネクタ２２に接続される。そして、夫々のコネクタ２１、２２から供給されるデータ信号はＨＤＣ１０１へと供給される。
【００１９】
また、電源系の接続に関しては、図４に示すように、外部からパラレル及びシリアルＡＴＡインターフェース用コネクタ２１、２２を介して供給される電源は、駆動回路基板１００の電源層（図示せぬ）に接続されている。そして、ＨＤＣ１０１は、この駆動回路基板１００の電源層から電源が供給される。変換ブリッジ回路１０２は、駆動回路基板１００の電源層には接続されておらず、シリアルＡＴＡインターフェース用コネクタから電源が供給されるようになっている。
【００２０】
従って、このような構成により、変換ブリッジ回路１０２は、シリアルＡＴＡインターフェース用コネクタ２２を介して外部装置と接続されている時、シリアルＡＴＡインターフェース用コネクタから電源が供給され、動作する。また、シリアルＡＴＡインターフェース用コネクタ２２から供給されるデータ信号は変換ブリッジ回路１０２を介してＨＤＣ１０１へ供給される。
【００２１】
また、変換ブリッジ回路１０２は、パラレルＡＴＡインターフェース用コネクタ２１を介して外部装置と接続されている時、電源が供給されず、動作しない。そして、パラレルＡＴＡインターフェース用コネクタ２１から供給される電源が駆動回路基板１００の電源層に供給され、この駆動回路基板１００の電源層を介して更にＨＤＣ１０１に電源が供給される。また、パラレルＡＴＡインターフェース用コネクタ２１から供給されるデータ信号はＨＤＣ１０１へ供給される。
【００２２】
このように、本実施の形態では、記憶装置としてのＨＤＤ１は、パラレルＡＴＡインターフェース用コネクタ２１とシリアルＡＴＡインターフェース用コネクタ２２とを有し、一方のコネクタに対してこのコネクタからのみ電源が供給される変換ブリッジ回路を介してコントローラ（ＨＤＣ１０１）を接続する構成であるため、ユーザがＨＤＤ１のコネクタ２１、２２のいずれかに対して外部装置を接続するだけで、ＨＤＤ１は自動的にシリアルあるいはパラレルＡＴＡインターフェースに対応するよう動作することが可能となる。
【００２３】
次に、図５及び図６を用いて、ＨＤＤ１の他の実施例を説明する。図５は、駆動回路基板１００の他の実施例を示す図である。図６は、ＨＤＤ１の電源系の接続関係を説明するための概略図である。
【００２４】
図５に示す駆動回路基板１１０には、ＨＤＣ機能と変換ブリッジ回路の機能とを内蔵した制御回路としてのサポート回路１１１が少なくとも搭載されている。サポート回路１１１は、データ信号系の接続に関し、パラレルＡＴＡインターフェース用コネクタ２１及びシリアルＡＴＡインターフェース用コネクタ２２にそれぞれ接続されている。そして、夫々のコネクタ２１、２２から供給されるデータ信号はサポート回路１１１へと供給される。
【００２５】
また、電源系の接続に関して、図６に示すように、外部からパラレル及びシリアルＡＴＡインターフェース用コネクタ２１、２２を介して供給される電源は、駆動回路基板１００の電源層に接続されている。そして、この駆動回路基板１００の電源層から、サポート回路１１１におけるシリアル及びパラレルＡＴＡ共通回路１１１ｂ及びパラレルＡＴＡ専用回路１１１ｃに対して、電源が供給されるよう接続されている。
【００２６】
また、サポート回路１１１におけるシリアルＡＴＡ専用回路１１１ａは、駆動回路基板１００の電源層には接続されておらず、シリアルＡＴＡインターフェース用コネクタから電源が供給されるようになっている。
【００２７】
従って、このような構成により、サポート回路１１１のシリアルＡＴＡ専用回路１１１ａは、シリアルＡＴＡインターフェース用コネクタ２２を介して外部装置と接続されている時、シリアルＡＴＡインターフェース用コネクタから電源が供給され、動作する。また、シリアルＡＴＡインターフェース用コネクタ２２から供給されるデータ信号はサポート回路１１１（主にシリアルＡＴＡ専用回路１１１ａと共通回路１１１ｂ）へ供給される。
【００２８】
また、サポート回路１１１のシリアルＡＴＡ専用回路１１１ａは、パラレルＡＴＡインターフェース用コネクタ２１を介して外部装置と接続されている時、いずれからも電源が供給されず、動作しない。そして、パラレルＡＴＡインターフェース用コネクタ２１から供給される電源が駆動回路基板１００の電源層に供給され、この駆動回路基板１００の電源層を介して更にサポート回路１１１のパラレルＡＴＡ専用回路１１１ｃ、共通回路１１１ｂに電源が供給される。また、パラレルＡＴＡインターフェース用コネクタ２１から供給されるデータ信号はサポート回路１１１（主にパラレルＡＴＡ専用回路１１１ｃと共通回路１１１ｂ）へ供給される。
【００２９】
このように、本実施の形態では、記憶装置としてのＨＤＤ１は、パラレルＡＴＡインターフェース用コネクタ２１とシリアルＡＴＡインターフェース用コネクタ２２とを有し、コントローラ機能を有するＬＳＩ等の回路（サポート回路１１１）に対して、シリアルＡＴＡインターフェースにのみ関係する部分にのみシリアルＡＴＡインターフェース用コネクタ２２から供給される電源を直接供給するよう構成されているため、ユーザがＨＤＤ１のコネクタ２１、２２のいずれかに対して外部装置を接続するだけで、ＨＤＤ１は自動的にシリアルあるいはパラレルＡＴＡインターフェースに対応するよう動作することが可能となる。
【図面の簡単な説明】
【００３０】
【図１】本発明の実施形態におけるＨＤＤ１の外観構成を示す斜視図。
【図２】図１に示すＨＤＤ１を裏返した状態の外観構成を示す概略斜視図。
【図３】ＨＤＤ１に内蔵された駆動回路基板１００を示す図。
【図４】駆動回路基板１００における電源系の接続関係を説明するための図。
【図５】他の実施例である駆動回路基板１１０を示す図。
【図６】駆動回路基板１１０における電源系の接続関係を説明するための図。
【符号の説明】
【００３１】
１    ＨＤＤ
２    ハウジング
１０    磁気ディスク
２１    パラレルＡＴＡインターフェース用コネクタ
２２    シリアルＡＴＡインターフェース用コネクタ
１００、１１０    駆動回路基板
１０１    ＨＤＣ
１０２    変換ブリッジ回路
１１１    サポート回路
【図１】
2005166097.tif 000003
【図２】
2005166097.tif 000004
【図３】
2005166097.tif 000005
【図４】
2005166097.tif 000006
【図５】
2005166097.tif 000007
【図６】
2005166097.tif 000008